(57)【要約】【課題】長いスリット形状を有しながら金型の製作が容易である部品取り付け構造および電子機器を提供すること。【解決手段】第２の部品３０を第１の部品２０に取り付けるための部品取り付け構造１１であり、第１の部品２０には、第２の部品３０を摺動させつつ取り付けるための第１のスリット２３Ａと第２のスリット２３Ｂとが形成されていて、第１のスリット２３Ａと第２のスリット２３Ｂには、垂直溝部２３ｄと、垂直溝部２３ｄよりも幅広の幅広部２３ｅとが形成されていて、第２の部品３０には、第１のスリット２３Ａに入り込む第１の突起３４Ａと、第２のスリット２３Ｂに入り込む第２の突起３４Ｂとが形成されていて、第１の突起３４Ａと第２の突起３４Ｂとが第１のスリット２３Ａ内または第２のスリット２３Ｂ内を移動する際に、第２の部品３０が摺動方向の異なる位置に位置するときに第１の突起３４Ａか第２の突起３４Ｂのいずれかが幅広部２３ｅに位置する。【選択図】図１
2010192622.tif 000002
【特許請求の範囲】
【請求項１】
第２の部品を第１の部品に取り付けるための部品取り付け構造であって、
上記第１の部品には、上記第２の部品を摺動させつつ取り付けるための第１のスリットと第２のスリットとが形成されていて、上記第１のスリットと第２のスリットには、垂直溝部と、この垂直溝部よりも幅広の幅広部とが形成されていると共に、
上記第２の部品には、上記第１のスリットに入り込む第１の突起と、上記第２のスリットに入り込む第２の突起とが形成されていて、
上記第１の突起と上記第２の突起とが摺動方向に沿って上記第１のスリット内または上記第２のスリット内を移動する際に、上記第２の部品が上記摺動方向の異なる位置に位置するときに上記第１の突起または上記第２の突起のいずれかが上記幅広部に位置する、
ことを特徴とする部品取り付け構造。
【請求項２】
請求項１記載の部品取り付け構造において、
前記第１のスリットおよび前記第２のスリットは、いずれも挿入ガイド部を有していて、
上記挿入ガイド部は、前記垂直溝部から離間する端部側が幅広に設けられていると共に、上記端部から前記垂直溝部に向かうにつれて幅狭となる形状に形成されている、
ことを特徴とする部品取り付け構造。
【請求項３】
請求項１または２記載の部品取り付け構造において、
前記幅広部には、内壁が前記摺動方向に対して傾斜して設けられている呼び込み部が存在する、
ことを特徴とする部品取り付け構造。
【請求項４】
請求項１から３のいずれか１項に記載の部品取り付け構造において、
前記第１の部品は、シャーシであると共に、前記第２の部品は、背面パネルである、
ことを特徴とする部品取り付け構造。
【請求項５】
請求項１から４のいずれか１項に記載の部品取り付け構造を具備することを特徴とする電子機器。
【発明の詳細な説明】
【技術分野】
【０００１】
本発明は、部品取り付け構造および電子機器に関する。
【背景技術】
【０００２】
各種の電子機器においては、シャーシ等の板状部材にスリットが形成されていて、このスリットを介して各種の部材（例えばパネル、ケース、カバー、その他各種パーツ、各種基板、電子部品等）を取り付ける部品取り付け構造が存在する。その一例としては、特許文献１に示すものがある。
【０００３】
この特許文献１中の第１図に示されているように、シャーシ３のシャーシ側部４には、内側に向かって突き出している突き出し部４ａが設けられていて、この突き出し部４ａには変形孔４ｂが設けられている。この変形孔４ｂには、背面パネル１の舌片部１ａが嵌合する。それにより、シャーシ３と背面パネル１との間の位置決めおよび取り付けが為されている。
【先行技術文献】
【特許文献】
【０００４】
【特許文献１】実開平４−１５８８３号公報
【発明の概要】
【発明が解決しようとする課題】
【０００５】
上述の特許文献１に開示されている変形孔４ｂのスリット幅は、背面パネル１の板厚によって定まる。ところで、シャーシに取り付ける部品の組み立て条件等から、変形孔４ｂのスリット長さを長くする必要がある場合、金型の変形孔に対応するリブを長く形成する必要がある。しかしながら、そのような長いリブの幅寸法は、細いままであるため、当該リブは強度的に弱い状態となる。そのため、細く長いリブが折れてしまったり、また製品を成型する段階の磨耗による金型寿命の到来が早い等の問題がある。また、金型においては、細く長いリブを形成することが困難である、という問題もある。
【０００６】
本発明は上記の事情にもとづきなされたもので、その目的とするところは、長いスリット形状を有しながら金型の製作が容易である部品取り付け構造および電子機器を提供しよう、とするものである。
【課題を解決するための手段】
【０００７】
上記課題を解決するために、本発明の部品取り付け構造の第１の側面は、第２の部品を第１の部品に取り付けるための部品取り付け構造であって、第１の部品には、第２の部品を摺動させつつ取り付けるための第１のスリットと第２のスリットとが形成されていて、第１のスリットと第２のスリットには、垂直溝部と、この垂直溝部よりも幅広の幅広部とが形成されていると共に、第２の部品には、第１のスリットに入り込む第１の突起と、第２のスリットに入り込む第２の突起とが形成されていて、第１の突起と第２の突起とが摺動方向に沿って第１のスリット内または第２のスリット内を移動する際に、第２の部品が異なる位置に位置するときに第１の突起または第２の突起のいずれかが上記幅広部に位置するものである。
【０００８】
また、本発明の部品取り付け構造の他の側面は、上述の発明において、第１のスリットおよび第２のスリットは、いずれも挿入ガイド部を有していて、挿入ガイド部は、垂直溝部から離間する端部側が幅広に設けられていると共に、端部から垂直溝部に向かうにつれて幅狭となる形状に形成されていることが好ましい。
【０００９】
さらに、本発明の部品取り付け構造の他の側面は、上述の発明において、幅広部には、内壁が摺動方向に対して傾斜して設けられている呼び込み部が存在することが好ましい。
【００１０】
また、本発明の部品取り付け構造の他の側面は、上述の発明において、第１の部品は、シャーシであると共に、第２の部品は、背面パネルであることが好ましい。
【００１１】
さらに、本発明の電子機器は、上述の部品取り付け構造に係る各発明を具備するようにするのが好ましい。
【発明の効果】
【００１２】
本発明によると、長いスリット形状を有しながら金型の製作が容易となる。
【図面の簡単な説明】
【００１３】
【図１】本発明の一実施の形態に係る部品取り付け構造および電子機器の一部を示す分解斜視図である。
【図２】図１の部品取り付け構造のうち、スリットの形状を示す正面図である。
【図３】図１の部品取り付け構造のうち、舌片部３４Ｂが垂直溝部に位置していると共に、背面パネルが傾斜する前の状態を示す図である。
【図４】図１の部品取り付け構造のうち、舌片部３４Ｂが垂直溝部に位置していると共に、背面パネルが傾斜している状態を示す図である。
【図５】一対の舌片部が共に幅広部に位置していると共に、背面パネルが傾斜する前の状態を示す図である。
【図６】一対の舌片部が共に幅広部に位置していると共に、背面パネルが傾斜している状態を示す図である。
【図７】一対の舌片部が共に幅広部に位置していると共に、背面パネルが傾斜している状態を示す図である。
【図８】図１の部品取り付け構造に係り、幅方向の一方側のみに幅広部が膨らんだ形状を示す正面図である。
【図９】図１の部品取り付け構造に係り、長手方向のそれぞれ異なる位置に、１つずつの幅広部が存在している形状を示す正面図である。
【図１０】図８の構成を示し、舌片部３４Ｂが垂直溝部に位置していると共に、背面パネルが傾斜する前の状態を示す図である。
【図１１】図１の部品取り付け構造の変形例に係り、腕部の長さ寸法がそれぞれ異なり、スリットが存在する位置もＸ軸方向でそれぞれ異なるものを示す図である。
【発明を実施するための形態】
【００１４】
以下、本発明の一実施の形態に係る、部品取り付け構造１１およびその部品取り付け構造１１を適用した電子機器１０について、各図に基づいて説明する。
【００１５】
＜構成について＞
図１に示すように、電子機器１０の部品取り付け構造１１は、シャーシ２０と、背面パネル３０と、を有している。なお、部品取り付け構造１１の構成要素として、これら以外のものを適宜追加することは勿論可能である。
【００１６】
上述の構成要素のうち、シャーシ２０は、第１の部品に対応しており、底板２１と、一対の側板２２とを有している。本実施の形態では、底板２１は、矩形状に設けられている。しかしながら、底板２１は、矩形状以外の種々の形状（例えば、三角形状、多数の頂角を有する多角形形状（五角形以上の多角形形状）としても良く、また、四角形形状であっても台形状、平行四辺形形状、それ以外の四角形状を採用可能である。
【００１７】
また、側板２２は、底板２１のうち、Ｙ軸方向の両端側から、上方（図１において矢示Ｚ１の向き）に向かって延伸している部分である。なお、本実施の形態では、側板２２も、底板２１と同様に種々の形状を採用することが可能である。また、以下の説明では、必要に応じて、一対の側板２２のうち図１においてＹ２側に位置しているものを側板２２Ａと称呼すると共に、同じく一対の側板２２のうち図１においてＹ１側に位置しているものを側板２２Ｂと称呼する。
【００１８】
また、側板２２には、スリット２３が設けられている。図２は、図１に示されている側板２２Ａ，２２Ｂにそれぞれ存在している、合計２つのスリット２３を正面視した形状である。なお、この図２においては、図１において側板２２Ａに存在するスリット２３が、図２において左側に存在しているスリット２３Ａ（第１のスリットに対応）であり、図１において側板２２Ｂに存在するスリット２３が、図２において右側に存在しているスリット２３Ｂ（第２のスリットに対応）となっている。以下の説明では、必要に応じて、スリット２３Ａ、スリット２３Ｂと称呼する。
【００１９】
ところで、スリット２３は、その幅寸法が均一とはなっておらず、Ｚ軸方向に沿ってその幅寸法が異なるように形成されている。詳説すると、スリット２３は、挿入ガイド部２３ｃと、垂直溝部２３ｄと、幅広部２３ｅとを有している。これらのうち、挿入ガイド部２３ｃは、図２においてＺ１側（上端側）に向かうにつれて、幅寸法が広がる孔形状に形成されている部分である。すなわち、挿入ガイド部２３ｃのスリットを構成する内壁は、テーパ形状に形成されたテーパ部２３ｆとなっていて、かかるテーパ部２３ｆの存在により後述する舌片部３４の摺動が良好にガイドされる。
【００２０】
また、垂直溝部２３ｄは、従来のスリット形状に対応する部位であり、舌片部３４の幅寸法に対応する（舌片部３４にさほどガタ付きを生じさせない）幅寸法を有するように形成されている。そのため、垂直溝部２３ｄは、その幅寸法が次に述べる幅広部２３ｅよりも小さく設けられている。
【００２１】
また、幅広部２３ｅは、垂直溝部２３ｄよりも幅広に形成されている部分である。なお、本実施の形態では、幅広部２３ｅには、舌片部３４の摺動を良好とするために、スリット２３を構成する内壁をテーパ形状としている呼び込み部２３ｇが設けられている。
【００２２】
なお、幅広部２３ｅは、図１および図２では、スリット２３Ａにおいては２つ、スリット２３Ｂにおいては１つ設けられている構成が示されている。
【００２３】
以上のような構成のシャーシ２０は、例えば所定の厚み寸法の金属製の板状部材を、プレス成型することによって形成することが可能である。しかしながら、プレス成型以外の手法によってシャーシ２０を形成するようにしても良い。プレス以外の手法としては、ダイカスト、射出成型等の手法がある。なお、射出成型の場合には、シャーシ２０の材質は、樹脂であることが好ましい。
【００２４】
続いて、シャーシ２０に取り付けられる背面パネル３０について説明する。図１に示すように、背面パネル３０は、第２の部品に対応しており、基板３１と、パネル部３２と、腕部３３と、を有している。これらのうち、基板３１は、背面パネル３０のうち、底板２１に対して略平行に設けられる部分である。また、背面パネル３０（パネル部３２および／または腕部３３）には、下方（Ｚ２側）に突出するように舌片が設けられている。そして、基板３１の端部であって舌片と対応する位置に存在する、切欠や角穴に舌片が挿入され、さらには舌片が曲げられることにより、背面パネル３０と基板３１との間の固定が為されている。このとき、基板３１と背面パネル３０（パネル部３２および腕部３３）とは、互いに略垂直を為す状態で固定されている。また、基板３１には、電子回路が形成されている。そのため、電子回路は、背面パネル３０（パネル部３２および腕部３３）に対して略垂直に設けられている。なお、パネル部３２は、基板３１および腕部３３に対して垂直に設けられる部位であり、背面パネル３０の取り付け時には側板２２に対して略垂直を為す部位である。
【００２５】
また、腕部３３は、側板２２に対して面的に接触するか、または側板２２に対して僅かな隙間を有する状態で対向する部分である。腕部３３は、後述する舌片部３４が設けられる部位であり、そのためＹ軸方向に沿う長さ寸法は、さほど大きなものとはなっていない。
【００２６】
また、腕部３３には、舌片部３４が設けられている。舌片部３４は、リブ状の突出部分であり、本実施の形態では、腕部３３のうちＺ２側に向かった部位（下方側）に設けられている。なお、この舌片部３４は、上述のスリット２３に挿入され、背面パネル３０のシャーシ２０に対する取り付けにおいて主要な役割を果たしている。また、以下の説明においては、必要に応じて、スリット２３Ａに入り込む舌片部３４を舌片部３４Ａ（第１の突起に対応）、スリット２３Ｂに入り込む舌片部３４を舌片部３４Ｂ（第２の突起に対応）と称呼する。
【００２７】
なお、背面パネル３０の材質は、樹脂、または金属等、種々のものを使用することが可能である。
【００２８】
＜取り付け動作に関して＞
続いて、部品取り付け構造１１を組み立てる際の取り付け動作について説明する。背面パネル３０をシャーシ２０に取り付ける場合、背面パネル３０の配置を図１に示す状態とした後に、腕部３３（舌片部３４）とスリット２３との位置合わせを行う。この後に、側板２２を若干押し広げつつ、舌片部３４をスリット２３に差し込む。
【００２９】
ここで、図１のようにＺ１からＺ２に向かう（下方に向かう）向きに背面パネル３０を移動させる場合、舌片部３４は、スリット２３のうち、幅広に設けられていてＺ１側（上方側）に位置している挿入ガイド部２３ｃに最初の段階で挿入される状態となる。その状態から、さらにＺ２側（下方側）に向けて舌片部３４を移動させる。すると、その移動の途中段階で、図３および図４に示すような状態が発生する。
【００３０】
図３および図４は、舌片部３４Ａがスリット２３Ａの幅広部２３ｅに位置すると共に、舌片部３４Ｂがスリット２３Ｂの垂直溝部２３ｄに位置している状態を示している。これに対して、図５〜図７は、舌片部が両方とも幅広部に位置している状態を示す図である。図６および図７から明らかなように、幅広部に一対の舌片部の両方が位置する場合、舌片部をスリットに沿って移動させる際に、舌片部は幅広部内を大きく動いてしまう。このように、舌片部の稼動領域が大きいため、安定性がなくなり、舌片部のスリットに沿ったガイドが困難となる。
【００３１】
これに対して、本実施の形態では、図３および図４に示すように、スリット２３Ａとスリット２３Ｂとは形状が異なっており、舌片部３４Ａがスリット２３Ａの幅広部２３ｅに位置する場合、舌片部３４Ｂがスリット２３Ｂの垂直溝部２３ｄに位置する状態となる。このため、図４に示すように、垂直溝部２３ｄに入り込んでいる舌片部３４Ｂは、Ｘ軸方向に沿ってほとんど移動しない状態となる。それにより、垂直溝部２３ｄにおいては、舌片部３４Ｂのスリット２３Ｂに沿ったガイドは良好な状態を維持できる。
【００３２】
以上のような状態の後、さらに舌片部３４Ａ，３４Ｂをスリット２３Ａ，２３Ｂに沿って、Ｚ２に向かって進行させると、今度は舌片部３４Ａがスリット２３Ａの垂直溝部２３ｄに位置すると共に、舌片部３４Ｂが幅広部２３ｅに位置する状態を経過する。続いて、舌片部３４Ｂがスリット２３Ｂの垂直溝部２３ｄに位置すると共に、舌片部３４Ａが幅広部２３ｅに位置する状態を経過し、その後に、舌片部３４Ａ，３４Ｂは、最終的に図２で破線で示す状態となって停止する。それにより、背面パネル３０がシャーシ２０に対して位置決めされた状態となる。
【００３３】
＜効果＞
以上のような構成の部品取り付け構造１１および電子機器１０によれば、スリット２３の形状を長くするべく、スリット２３に対応する金型のリブを長く形成する場合であっても、幅広部２３ｅに対応する部分がリブに存在することになる。そのため、当該リブが強度的に強くなる。そのため、部品取り付け構造１１および電子機器１０は、長いスリット形状を有しながら、部品取り付け構造１１および電子機器１０を製造するための金型の製作が容易となる。
【００３４】
また、上述した金型のリブが折れたり、製品を成型する段階の磨耗による金型寿命の到来が遅くなる等のメリットが生じる。すなわち、金型寿命を長くすることが可能となる。また、リブの形成が容易となるため、金型の形成が容易となる。また、金型のリブの強度を高めることが可能となるので、結果的に、スリット２３の長さ寸法を長くすることが可能となる。
【００３５】
また、本実施の形態では、いずれかの舌片部３４Ａ（３４Ｂ）が幅広部２３ｅに位置しているとき、他方の舌片部３４Ｂ（３４Ａ）は、垂直溝部２３ｄに位置している。それにより、舌片部３４Ａ，３４Ｂの稼動領域を狭くすることができると共に、舌片部３４Ａ，３４Ｂのスリット２３Ａ，２３Ｂに沿ったガイドを良好な状態に維持可能となる。
【００３６】
また、本実施の形態では、シャーシ２０に対して背面パネル３０を容易に取り付けることが可能となる。
【００３７】
また、スリット２３Ａ，２３Ｂは、挿入ガイド部２３ｃを有していて、この挿入ガイド部２３ｃには、テーパ部２３ｆが存在している。このため、舌片部３４Ａ，３４Ｂのスリット２３Ａ，２３Ｂに沿う摺動を良好にガイド可能となる。加えて、挿入ガイド部２３ｃは幅広に設けられているので、舌片部３４Ａ，３４Ｂの差し込みが容易となる。
【００３８】
＜変形例＞
以上、本発明の一実施の形態に係る部品取り付け構造１１および電子機器１０について説明したが、本発明はこれ以外にも種々変形可能となっている。以下、それについて述べる。
【００３９】
上述の実施の形態においては、スリット２３の形状として、図１および図２に示すものを用いている。しかしながら、スリットの形状は、図１および図２に示すものには限られず、種々変形可能である。その例を、図８〜図１０に示す。図８および図１０には、幅広部２３ｅが垂直溝部２３ｄの幅方向の一方の側からのみ突出しているスリット２３Ａ１，２３Ｂ１が示されている。また、図９には、スリット２３Ａ２とスリット２３Ｂ２とに、それぞれ１つずつの幅広部２３ｅが設けられている構成が示されている。なお、幅広部２３ｅの個数は、それぞれのスリットに１つ以上存在していれば、幾つ存在していても構わない。
【００４０】
また、上述の実施の形態では、図３および図４に示すように、スリット２３Ａ，２３Ｂは、Ｘ軸方向において略同様の位置に存在していて、その長手がＹ軸に沿って設けられ、かつＹ軸における位置が異なっている。しかしながら、図１１に示すスリット２３Ａ３，２３Ｂ３のように、Ｘ軸方向における位置が異なっていても良い。なお、図１１には、腕部３３における舌片部３４を設けるＸ軸方向の位置が異なっていて、スリット２３のＸ軸方向の位置も異なっているものが示されている。
【００４１】
また、本実施の形態では、第１の部品はシャーシ２０、第２の部品は背面パネル３０として説明している。しかしながら、第１の部品はシャーシ２０には限られず、その他、ケース、カバー、パネル等、種々のものを第１の部品としても良い。同様に、第２の部品は背面パネル３０には限られず、その他、ケース、カバー、パネル等、種々のものを第２の部品としても良い。
【００４２】
また、上述の実施の形態では、第１の突起および第２の突起として、舌片部３４Ａ，３４Ｂを用いる場合について説明している。しかしながら、第１の突起および第２の突起は、舌片部３４Ａ，３４Ｂには限られず、例えば軸部等の突起を第１の突起および第２の突起としても良い。
【００４３】
また、上述の実施の形態では、スリット２３が一対存在すると共に、舌片部３４が一対存在するものが開示されている。しかしながら、スリットおよび舌片部の個数は、一対には限られず、３つ以上としても良い。また、スリットと舌片部の個数は同数存在しても良く、舌片部の個数がスリットよりも多くても良く、逆に舌片部の個数がスリットより少なくても良い。
【００４４】
また、上述の実施の形態における部品取り付け構造１１が適用される電子機器としては、種々のものを用いるようにしても良い。そのような電子機器としては、車載用を始めとするオーディオ機器、カーナビゲーション装置、映像表示装置、録画再生装置等が代表例として挙げられる。
【産業上の利用可能性】
【００４５】
本発明の部品取り付け構造および電子機器は、各種の電気機器の分野において利用することができる。
【符号の説明】
【００４６】
１０…電子機器
１１…部品取り付け構造
２０…シャーシ（第１の部品に対応）
２１…底板
２２…側板
２３…スリット
２３Ａ…スリット（第１のスリットに対応）
２３Ｂ…スリット（第２のスリットに対応）
３０…背面パネル（第２の部品に対応）
３１…基板
３２…パネル部
３３…腕部
３４…舌片部
３４Ａ…舌片部（第１の突起に対応）
３４Ｂ…舌片部（第２の突起に対応）
【図１】
2010192622.tif 000003
【図２】
2010192622.tif 000004
【図３】
2010192622.tif 000005
【図４】
2010192622.tif 000006
【図５】
2010192622.tif 000007
【図６】
2010192622.tif 000008
【図７】
2010192622.tif 000009
【図８】
2010192622.tif 000010
【図９】
2010192622.tif 000011
【図１０】
2010192622.tif 000012
【図１１】
2010192622.tif 000013